(57)【要約】【課題】精確かつ容易に圧子の取付け位置のずれを調整可能な圧子の位相調整用治具、硬さ試験機、及び圧子取付方法を提供する。【解決手段】圧子取付用治具１００において、圧子支持部１１１と、圧子１３の稜線１３ａａに対応する十字線１２０ａと、基準マーク１６と位置合わせするためのレチクルマーク１２０ｂを側面に有するレチクル１２０と、レチクル１２０を圧子１３の軸回りに回動可能に支持するレチクル支持部１１３と、圧子支持部１１１で支持される圧子１３の先端部１３ａの稜線１３ａａと、レチクル１２０の十字線１２０ａと、が重なった状態を観察可能な位置に、接眼レンズ１１を着脱自在に取付ける着脱部１３０と、を備え、圧子１３の稜線１３ａａとレチクル１２０の十字線１２０ａとが一致した状態で、基準マーク１６とレチクルマーク１２０ｂとを一致させて圧子１３を圧子取付部１５ａに取付けるように構成する。【選択図】図２
2010190817.tif 000002
【特許請求の範囲】
【請求項１】
先端が角錐状の圧子を取付ける際の位置決めの基準となる基準マークを有し、当該基準マークに基づいて圧子を取付ける圧子取付部と、前記圧子により試料の表面に形成されるくぼみを観察する観察部と、を有する硬さ試験機の前記圧子取付部に、前記圧子を取付けるための圧子取付用治具であって、
前記圧子を先端側から挿入して支持するとともに、当該圧子を着脱自在な圧子支持部と、
前記圧子支持部における前記圧子の先端側に設けられ、光透過性を有し、前記圧子の稜線に対応する指標を備え、前記基準マークと位置合わせするための位置決めマークを周面に有する指標部と、
前記指標部を前記圧子の軸回りに回動可能に支持する回動支持部と、
前記圧子支持部で支持される前記圧子の先端の稜線と、前記指標部の指標と、が重なった状態を観察可能な位置に、前記観察部を着脱自在に取付ける取付部と、
を備え、
前記圧子の稜線と前記指標部の指標とが一致した状態で、前記基準マークと前記指標部の位置決めマークとを一致させて前記圧子を前記圧子取付部に取付けるように構成したことを特徴とする圧子取付用治具。
【請求項２】
請求項１に記載の圧子取付用治具において、
前記指標部はレチクルであることを特徴とする圧子取付用治具。
【請求項３】
請求項１又は２に記載の圧子取付用治具において、
前記観察部は、前記くぼみの投影像を撮像する着脱自在なＣＣＤカメラ又は接眼レンズを含み、
前記取付部は、前記ＣＣＤカメラ又は接眼レンズを着脱自在に取付けることを特徴とする圧子取付用治具。
【請求項４】
先端が角錐状の圧子を取付ける際の位置決めとなる基準マークを有し、当該基準マークに基づいて圧子を取付ける圧子取付部と、前記圧子により試料の表面に形成したくぼみを観察する観察部と、を有する硬さ試験機において、
前記圧子を圧子取付部に取付けるための圧子取付用治具を備え、
前記圧子取付用治具は、
前記圧子を先端側から挿入して支持するとともに、当該圧子を着脱自在な圧子支持部と、
前記圧子支持部における前記圧子の先端側に設けられ、光透過性を有し、前記圧子の稜線に対応する指標を備え、前記基準マークと位置合わせするための位置決めマークを周面に有する指標部と、
前記指標部を前記圧子の軸回りに回動可能に支持する回動支持部と、
前記圧子支持部で支持される前記圧子の先端の稜線と、前記指標部の指標と、が重なった状態を観察可能な位置に、前記観察部を着脱自在に取付ける取付部と、
を備え、
前記圧子の稜線と前記指標部の指標とが一致した状態で、前記基準マークと前記指標部の位置決めマークとを一致させて前記圧子を前記圧子取付部に取付けるように構成したことを特徴とする硬さ試験機。
【請求項５】
請求項１〜３の何れか１項に記載の圧子取付用治具を用いて、前記圧子を前記圧子取付部に取付ける圧子取付方法において、
前記圧子を前記圧子支持部に取付ける圧子支持部取付工程と、
前記取付部に前記観察部を取付ける観察部取付工程と、
前記観察部により前記圧子の先端の稜線と、前記指標部の指標と、を観察して、前記指標部を前記圧子の軸回りに回動させ、前記圧子の先端の稜線と、前記指標部の指標とが一致するように調整する調整工程と、
前記観察部を前記取付部から取り外す観察部取り外し工程と、
前記圧子取付部に、前記基準マークと前記位置決めマークとが一致するように前記圧子を取付ける圧子取付工程と、
前記圧子を前記圧子支持部から取り外す取り外し工程と、
を備えることを特徴とする圧子取付方法。
【発明の詳細な説明】
【技術分野】
【０００１】
本発明は、圧子取付用治具、硬さ試験機、及び圧子取付方法に関する。
【背景技術】
【０００２】
従来、試料のビッカース硬さやヌープ硬さを測定する硬さ試験機において、先端が角錐状の圧子を試料に押し付けてくぼみを形成し、当該試料やくぼみを観察して硬さの測定が行われている。
【０００３】
例えば、ビッカース硬さ試験機においては、圧子の先端が四角錐状に形成されているため、試料に押し付けた際に四角錐状のくぼみが形成される。そして、当該くぼみを顕微鏡で観察すると四角形の投影像が確認できるので、その四角形の２本の対角線長さを測定することで硬さ測定がなされる（例えば、特許文献１参照）。
【先行技術文献】
【特許文献】
【０００４】
【特許文献１】特開平８−１２２２３８号公報
【０００５】
ここで、測定の便宜上、圧子の取付け位置は、上記２本の対角線が予め定められた直交する二軸方向（基準方向）に合致するように調整されており、当該取付け位置にずれが生じると硬さの測定値に誤差が生じる場合がある。
そのため、上記基準方向を把握し得る円形の指標を圧子の側壁に設け、ユーザは当該指標を参照し、圧子先端の稜線を目視によって確認しながら圧子を回転させて、上記取付け位置のずれを調整するという作業を行っていた。
【発明の概要】
【発明が解決しようとする課題】
【０００６】
しかしながら、上記のような調整方法において、圧子の側壁に設けられた円形の指標のみを取付け位置調整における基準としているため凡その方向しか把握できず位置ずれ調整が煩雑であり、また、圧子先端の稜線を目視によって確認するため微細な取付け位置のずれを把握し難いので、精確に取付け位置のずれを調整できないという問題があった。
【０００７】
本発明の課題は、精確かつ容易に圧子の取付け位置のずれを調整可能な圧子取付用治具、硬さ試験機、及び圧子取付方法、を提供することである。
【課題を解決するための手段】
【０００８】
上記課題を解決するため、請求項１に記載の発明は、先端が角錐状の圧子を取付ける際の位置決めの基準となる基準マークを有し、当該基準マークに基づいて圧子を取付ける圧子取付部と、前記圧子により試料の表面に形成されるくぼみを観察する観察部と、を有する硬さ試験機の前記圧子取付部に、前記圧子を取付けるための圧子取付用治具であって、前記圧子を先端側から挿入して支持するとともに、当該圧子を着脱自在な圧子支持部と、前記圧子支持部における前記圧子の先端側に設けられ、光透過性を有し、前記圧子の稜線に対応する指標を備え、前記基準マークと位置合わせするための位置決めマークを周面に有する指標部と、前記指標部を前記圧子の軸回りに回動可能に支持する回動支持部と、前記圧子支持部で支持される前記圧子の先端の稜線と、前記指標部の指標と、が重なった状態を観察可能な位置に、前記観察部を着脱自在に取付ける取付部と、を備え、前記圧子の稜線と前記指標部の指標とが一致した状態で、前記基準マークと前記指標部の位置決めマークとを一致させて前記圧子を前記圧子取付部に取付けるように構成したことを特徴とする。
【０００９】
請求項２に記載の発明は、請求項１に記載の圧子取付用治具において、前記指標部はレチクルであることを特徴とする。
【００１０】
請求項３に記載の発明は、請求項１又は２に記載の圧子取付用治具において、前記観察部は、前記くぼみの投影像を撮像する着脱自在なＣＣＤカメラ又は接眼レンズを含み、前記取付部は、前記ＣＣＤカメラ又は接眼レンズを着脱自在に取付けることを特徴とする。
【００１１】
請求項４に記載の発明は、先端が角錐状の圧子を取付ける際の位置決めとなる基準マークを有し、当該基準マークに基づいて圧子を取付ける圧子取付部と、前記圧子により試料の表面に形成したくぼみを観察する観察部と、を有する硬さ試験機において、前記圧子を圧子取付部に取付けるための圧子取付用治具を備え、前記圧子取付用治具は、前記圧子を先端側から挿入して支持するとともに、当該圧子を着脱自在な圧子支持部と、前記圧子支持部における前記圧子の先端側に設けられ、光透過性を有し、前記圧子の稜線に対応する指標を備え、前記基準マークと位置合わせするための位置決めマークを周面に有する指標部と、前記指標部を前記圧子の軸回りに回動可能に支持する回動支持部と、前記圧子支持部で支持される前記圧子の先端の稜線と、前記指標部の指標と、が重なった状態を観察可能な位置に、前記観察部を着脱自在に取付ける取付部と、を備え、前記圧子の稜線と前記指標部の指標とが一致した状態で、前記基準マークと前記指標部の位置決めマークとを一致させて前記圧子を前記圧子取付部に取付けるように構成したことを特徴とする。
【００１２】
請求項５に記載の発明は、請求項１〜３の何れか１項に記載の圧子取付用治具を用いて、前記圧子を前記圧子取付部に取付ける圧子取付方法において、前記圧子を前記圧子支持部に取付ける圧子支持部取付工程と、前記取付部に前記観察部を取付ける観察部取付工程と、前記観察部により前記圧子の先端の稜線と、前記指標部の指標と、を観察して、前記指標部を前記圧子の軸回りに回動させ、前記圧子の先端の稜線と、前記指標部の指標とが一致するように調整する調整工程と、前記観察部を前記取付部から取り外す観察部取り外し工程と、前記圧子取付部に、前記基準マークと前記位置決めマークとが一致するように前記圧子を取付ける圧子取付工程と、前記圧子を前記圧子支持部から取り外す取り外し工程と、を備えることを特徴とする。
【発明の効果】
【００１３】
本発明によれば、圧子の稜線と指標部の指標とが一致した状態で、圧子取付部の基準マークと指標部の位置決めマークとを一致させて、圧子を圧子取付部に取付けることで、圧子の取付け位置のずれを調整することができる、圧子の側壁に設けられた円形の指標のみを取付け位置の調整基準とした場合に比べて、精確に圧子の取付け位置のずれを調整することができる。さらに、圧子の稜線と指標部の指標を観察部で観察することができるので、目視による確認に比べて微細な取付け位置のずれを容易に調整することができる。
よって、本発明は、精確かつ容易に圧子の取付け位置のずれを調整可能な圧子の位相調整用治具、硬さ試験機、及び圧子取付方法、であるといえる。
【図面の簡単な説明】
【００１４】
【図１】本発明に係る硬さ試験機の試験機本体の概略構成を示す側面図である。
【図２】本発明に係る硬さ試験機に備えられる圧子取付用治具の概略構成を示す側面図である。
【図３】本発明に係る硬さ試験機の試験機本体に圧子取付用治具を取付けた状態を説明するための図である。
【図４】本発明に係る圧子取付用治具の本体部を上面視した状態を示す模式図である。
【図５】本発明に係る硬さ試験機の試験機本体にＣＣＤカメラが装着された状態を示す拡大図である。
【図６】本発明に係る圧子取付用治具にＣＣＤカメラが装着された状態を示す側面図である。
【図７】本発明に係る圧子取付用治具を用いた圧子の取付方法を説明するフローチャートである。
【発明を実施するための形態】
【００１５】
以下、本発明の実施の形態を図１から図７に基づいて説明する。なお、以下の説明では、図１における試験機本体１０の左右方向をＸ方向、前後方向をＹ方向、高さ方向をＺ方向とする。
【００１６】
硬さ試験機１０００は、例えば、ビッカース硬さ試験機であり、図１及び図２に示すように、試験機本体１０と、圧子取付用治具１００と、硬さ試験機１０００の制御全般を行う制御部（図示省略）等から構成される。
【００１７】
試験機本体１０は、例えば、図１に示すように、測定部１と、試料を載置する試料台２と、試料台２を移動可能に支持するステージ３と、試料台２（及びステージ３）を昇降する昇降機構部５と、等を備えている。
【００１８】
測定部１は、例えば、試料の表面を観察する接眼レンズ１１（観察部）と、試料の表面を照明する照明装置１２と、圧子１３と対物レンズ１４を備え、Ｚ軸方向を中心に回転することにより圧子１３と対物レンズ１４との切り替えが可能なターレット１５と、圧子１３の稜線の基準位置からのずれ（位相）を調整する際の基準となる基準マーク１６と、等により構成されている。
【００１９】
接眼レンズ１１は、一端部が測定部１の本体部分に支持され、当該一端部側で試験機本体１０から着脱自在に構成されている。そして、対物レンズ１４が観察位置にある場合において、照明装置１２より出射された光の試料表面からの反射光が、接眼レンズ１１の光軸を通過することにより、試料表面や圧子１３により形成される試料表面上のくぼみの観察を可能にする。
【００２０】
照明装置１２は、試料台２に載置される試料の表面を照射する光を出射する光源である。
【００２１】
ターレット１５は、圧子１３の軸方向（Ｚ軸方向）を中心に回転可能に構成されており、圧子１３を取付ける圧子取付部１５ａと、複数の対物レンズ１４と、を下面に保持しており、上記軸方向に所定角回転することにより、これらを選択的に試料の上方に配置し、試料へのくぼみ形成や当該くぼみの観察を可能にする。
【００２２】
圧子１３は、一端がターレット１５の圧子取付部１５ａの下面に着脱自在に取付けられており、他端に先端部１３ａを備える。
そして、圧子１３は、上下駆動する負荷機構部（図示省略）により試料台２に載置された試料に向けて移動され、先端部１３ａを試料の表面に所定の試験力で押し込むことにより、くぼみを形成する。
【００２３】
先端部１３ａは、四角錐状に形成された圧子１３の先端であり、当該先端部１３ａを試料の表面に押し付けることにより、ＸＹ平面視で四角形状のくぼみを形成することが出来る。また、上記平面視したくぼみにおいて、図４に示されるように圧子の稜線１３ａａが四角形の直交する対角線として表れる。
【００２４】
対物レンズ１４は、それぞれ異なる倍率からなる集光レンズであり、ターレット１５の下面に複数保持されている。また、照明装置１２より出射された光を試料の表面に一様に照射させる。
【００２５】
基準マーク１６は、測定部１の側壁（圧子１３の上方）に描画された矩形のマークであり、ユーザが圧子１３を回転させて圧子の取付け位置のずれを調整する際の基準位置を示す。
【００２６】
試料台２は、上面に試料を載置し、試料固定部（図示省略）により当該試料を固定する。
ステージ３は、駆動機構部（図示省略）により駆動され、試料台２を水平方向（前後左右方向）及び垂直方向（上下方向）に移動可能に支持する。つまり、ステージ３は、接眼レンズ１１で撮像される投影像に基づき試料台２を微細に昇降／水平移動させることで、試料の表面に焦点を合わせることができる。
昇降機構部５は、例えば、ステージ３に螺設され、回転することによりステージ３（及び上面に支持される試料台２）を軸方向に移動させる角ネジや台形ネジ（図示省略）及び当該角ネジや台形ネジを駆動するモータ（図示省略）などを備えて構成され、モータを駆動して当該角ネジや台形ネジを回転させることで、試料台２及びステージ３を上下方向（Ｚ軸方向）に移動させる。
なお、昇降機構部５は、必ずしもモータ駆動に限定されるものではなく、上記角ネジや台形ネジを回転させるためのハンドルを備え、当該ハンドルを手動操作するものであって当然良い。
【００２７】
圧子取付用治具１００は、図２に示すように、圧子取付部１５ａに圧子１３を取付けるための治具であって、例えば、筐体としての本体部１１０と、圧子１３の稜線１３ａａに対応する十字線１２０ａ（指標）が設けられたレチクル１２０（指標部）と、接眼レンズ１１等を着脱自在にする着脱部１３０（取付部）と、を備えて構成される。
【００２８】
本体部１１０は、圧子１３を支持する圧子支持部１１１と、圧子支持部１１１で支持される圧子１３を固定する固定部１１５と、レチクル１２０を支持するレチクル支持部１１３（回動支持部）と、を備えた略円筒状の部材である。
【００２９】
圧子支持部１１１は、圧子１３を先端部１３ａ側から挿入して支持するとともに、当該圧子１３が着脱自在であり、先端部１３ａの上面が上方から視認可能なように、先端部１３ａの形状に沿って錐状の孔を備える支持部材である。また、圧子支持部１１１は、先端部１３ａのみを支持するように構成されているため、図３に示すように、先端部１３ａを支持した状態で圧子１３を圧子取付部１５ａに取付けることが可能である。
【００３０】
固定部１１５は、圧子１３を固定するネジ（図示省略）及びネジ穴で構成されており、圧子支持部１１１に圧子１３が挿入された状態で、上記ネジをネジ穴に向けて締めつけることにより圧子１３を固定することが出来る。
【００３１】
レチクル支持部１１３は、図２及び図４に示すように、例えば、ＹＺ平面視でコ字状に形成され、ＸＹ平面視でレチクル１２０の周面の一部（例えば、半周分）を挟み込んでおり、レチクル１２０をＺ軸周りに回動自在に支持部材である。
そのため、ユーザは、レチクル支持部１１３で支持されていないレチクル１２０の周面を指で押圧した状態で、Ｚ軸方向を中心にレチクル１２０を回動させることができる。
【００３２】
レチクル１２０は、例えば、圧子支持部１１１における圧子１３の先端部１３ａ側に設けられた、光透過性を有する円筒状の透明なガラス基板であり、図４に示すように、ＸＹ平面視で十字線１２０ａ（指標）が描画されており、周面にレチクルマーク１２０ｂ（位置決めマーク）が設けられている。
十字線１２０ａは、レチクル１２０のＸＹ平面上の中心位置で直交する２直線であり、圧子１３の稜線１３ａａと対応するように描画されている。
レチクルマーク１２０ｂは、レチクル１２０の側面で、十字線１２０ａのうち、何れか一方の直線の延長線上に設けられ、試験機本体１０に設けられた基準マーク１６と同一の幅（Ｙ軸方向長さ）を有したマークである。
【００３３】
着脱部１３０は、本体部１１０の上部に設けられており、試験機本体１０に装着された接眼レンズ１１を着脱可能にする。つまり、着脱部１３０に装着される接眼レンズ１１を介して、図２の矢印Ａの方向よりレチクル１２０の十字線１２０ａと圧子１３の稜線１３ａａを重ねて観察することが出来る。
したがって、接眼レンズ１１により十字線１２０ａと稜線１３ａａを拡大した状態で観察し、レチクル支持部１１３に支持されたレチクル１２０を回動させて十字線１２０ａと稜線１３ａａを一致させる。そして、着脱部１３０から接眼レンズ１１を取り外し、レチクルマーク１２０ｂが基準マーク１６と一致するように（つまり、レチクルマーク１２０ｂと基準マーク１６がＺ軸方向の同一直線上に配置されるように）、圧子１３を装着した本体部１１０をＺ軸周りに回転させ、圧子１３（圧子取付用治具１００）を圧子取付部１５ａ（試験機本体１０）に装着することで、圧子１３の取付け位置のずれを調整することが出来る。
なお、例えば、図５に示すように、接眼レンズ１１に換えて、十字線１２０ａと稜線１３ａａを拡大した状態で観察可能なモニタ（図示省略）等を備え、試験機本体１０に着脱自在なＣＣＤカメラ１１ａが、試験機本体１０に装着されている場合に、図６に示すように、着脱部１３０に当該ＣＣＤカメラ１１ａを着脱可能なように構成しても勿論良い。
【００３４】
（圧子の取付方法について）
次に、圧子取付用治具１００を用いた圧子１３の試験機本体１０への取付方法について、図７のフローチャートを用いて説明する。
【００３５】
まず、圧子支持部１１１に圧子１３の先端部１３ａを挿入して固定部１１５で固定し、圧子１３を圧子取付用治具１００に取付ける（ステップＳ１：圧子支持部取付工程）。
次いで、接眼レンズ１１を試験機本体１０より取り外して着脱部１３０に装着し、当該接眼レンズ１１を圧子取付用治具１００に取付ける（ステップＳ２：観察部取付工程）。
【００３６】
次いで、接眼レンズ１１を介して、圧子１３の先端部１３ａの稜線１３ａａとレチクル１２０の十字線１２０ａを観察し、稜線１３ａａと十字線１２０ａが一致するように、レチクル１２０を回転させて調整する（ステップＳ３：調整工程）。
【００３７】
次いで、接眼レンズ１１を着脱部１３０から取り外し、試験機本体１０に再度装着する（ステップＳ４：観察部取り外し工程）。
【００３８】
次いで、レチクルマーク１２０ｂが基準マーク１６と一致するように圧子取付用治具１００を回転させて、圧子取付用治具１００の取付け位置を調整し、圧子１３（圧子取付用治具１００）をターレット１５の圧子取付部１５ａ（試験機本体１０）に装着する（ステップＳ５：圧子取付工程）。
【００３９】
次いで、圧子１３を圧子支持部１１１から取り外すことで、圧子取付用治具１００を試験機本体１０より取り外す（ステップＳ６：取り外し工程）。
【００４０】
以上のように、本発明に係る硬さ試験機１０００は、圧子１３を取付ける際の位置決めとなる基準マーク１６を有し、当該基準マーク１６に基づいて圧子１３を取付ける圧子取付部１５ａと、圧子１３により試料の表面に形成したくぼみを観察する接眼レンズ１１と、圧子１３を圧子取付部１５ａに取付けるための圧子取付用治具１００と、を備え、圧子取付用治具１００は、圧子１３を先端部１３ａから挿入して支持するとともに、圧子１３を着脱自在な圧子支持部１１１と、圧子支持部１１１における圧子１３の先端部１３ａ側に設けられ、光透過性を有し、圧子１３の稜線１３ａａに対応する十字線１２０ａを備え、基準マーク１６と位置合わせするためのレチクルマーク１２０ｂを側面に有するレチクル１２０と、レチクル１２０を圧子１３の軸回りに回動可能に支持するレチクル支持部１１３と、圧子支持部１１１で支持される圧子１３の先端部１３ａの稜線１３ａａと、レチクル１２０の十字線１２０ａと、が重なった状態を観察可能な位置に、接眼レンズ１１を着脱自在に取付ける着脱部１３０と、を備え、圧子１３の稜線１３ａａとレチクル１２０の十字線１２０ａとが一致した状態で、基準マーク１６とレチクルマーク１２０ｂとを一致させて圧子１３を圧子取付部１５ａに取付けるように構成されている。
つまり、圧子１３の側壁に設けられた円形の指標のみを取付け位置の調整基準とした場合に比べて、本発明では圧子１３の取付け位置の調整を、十字線１２０ａを基準として圧子１３の平面位置から行うとともに、レチクルマーク１２０ｂを基準として圧子１３の軸方向からも行うため、精確に圧子１３の取付け位置のずれを調整することができる。さらに、圧子１３の稜線１３ａａとレチクル１２０のレチクルマーク１２０ｂを接眼レンズ１１で観察することができるので、目視による確認に比べて微細な取付け位置のずれを容易に調整することができる。
よって、本発明は、精確かつ容易に圧子の取付け位置のずれを調整可能な圧子の圧子取付用治具、硬さ試験機、圧子取付方法、であるといえる。
【００４１】
また、圧子取付用治具１００の着脱部１３０は、試験機本体１０に備えられる接眼レンズ１１又はＣＣＤカメラ１１ａを着脱自在に取付けることができる。
つまり、試験機本体１０の構成部品である接眼レンズ１１又はＣＣＤカメラ１１ａを使用して、稜線１３ａａと十字線１２０ａを拡大して観察することが可能となるので、圧子取付用治具１００の製造コストを抑えることができる。
【００４２】
また、上記圧子取付用治具１００を用いた圧子取付方法は、図７に示されるステップＳ１〜Ｓ６によって実施される。
ここで、圧子取付用治具１００の取付け位置を調整し、試験機本体１０に圧子１３を取付ける工程（ステップＳ５）において、圧子１３は圧子取付用治具１００（圧子支持部１１１）に取付けられた状態で取付け位置を調整可能できるので、ユーザは圧子１３の先端部１３ａに直接手で触れることなく上記調整を実施できる。
つまり、圧子１３に直接手で接触して取付け位置を調整する場合、指先の脂分が圧子１３に付着して測定誤差をもたらすので、脱脂作業を行う必要性を伴い、作業効率を低下させるという問題がある。しかし、上述のように圧子取付用治具１００を用いることで、ユーザは、圧子取付用治具１００を介して圧子１３の取付け位置を調整するので、上記問題を解決することができる。
【００４３】
なお、本発明の範囲は上記実施形態に限られることなく、本発明の趣旨を逸脱しない範囲において種々の改良並びに設計の変更を行っても良い。
例えば、上記実施形態において、圧子１３の取付け位置を調整する場合、十字線１２０ａと稜線１３ａａを一致させた状態で、レチクルマーク１２０ｂを基準マーク１６と一致させているが、例えば、図２や図６に示されるように、圧子１３に、稜線１３ａａのうち、何れか一方の直線の延長線上に位置する圧子マーク１３ｂを設けたものであってもよい。
つまり、固定部１１５におけるネジの締め付けを緩めて圧子１３を回転させて稜線１３ａａと十字線１２０ａを一致させ、そのときの圧子マーク１３ｂの位置を基準マーク１６に一致させるように圧子１３を装着した本体部１１０をＺ軸周りに回転させ、圧子１３を圧子取付部１５ａに装着することで、上記実施形態と同様に圧子１３の取付け位置のずれを精確に調整することが出来る。
【符号の説明】
【００４４】
１０００  硬さ試験機
１        測定部
１０      試験機本体
１１      接眼レンズ（観察部）
１１ａ    ＣＣＤカメラ（観察部）
１３      圧子
１３ａ    先端部
１３ａａ  稜線
１５ａ    圧子取付部
１６      基準マーク
１００    圧子取付用治具
１１０    本体部
１１１    圧子支持部
１１３    レチクル支持部（回動支持部）
１２０    レチクル（指標部）
１２０ａ  十字線（指標）
１２０ｂ  レチクルマーク（位置決めマーク）
１３０    着脱部（取付部）
【図１】
2010190817.tif 000003
【図２】
2010190817.tif 000004
【図３】
2010190817.tif 000005
【図４】
2010190817.tif 000006
【図５】
2010190817.tif 000007
【図６】
2010190817.tif 000008
【図７】
2010190817.tif 000009